(57)【要約】【課題】  単一ホストコンピュータと複数のユーザーコントロールユニットで構成されたシステム構造中にあって、ユーザーの該ホストコンピュータに対するアクセスを管理及び制御する方法と装置の提供。【解決手段】  ホストコンピュータ中に各ユーザーコントロールユニットの識別コード、各ユーザーコントロールユニットに対応する識別可能なカーソル図形、及び各ユーザーコントロールユニットに対する設定アクセス制御権限が保存されている。ホストコンピュータがユーザーコントロールユニットより送られたアクセス請求信号を受け取ると該ユーザーコントロールユニットの識別コードに対応するカーソル図形をホストコンピュータのスクリーンに表示し並びに該ユーザーコントロールユニットに設定アクセス制御権限下でのホストコンピュータに対するアクセス実行を許可する。【選択図】        図１
2006004397.tif 000002
【特許請求の範囲】
【請求項１】
コンピュータ装置のインタラクティブアクセス権制御システムにおいて、ホストコンピュータと、複数のユーザーコントロールユニットと、インタフェース回路とを具え、
該ホストコンピュータはスクリーンを具え、該スクリーン上に該ホストコンピュータのカーソル図形を表示し、該ホストコンピュータが、複数のユーザーコントロールユニット識別コードを保存するユーザーコントロールユニット識別コードメモリ領域と、該ユーザーコントロールユニット識別コードに対応する複数の識別可能なカーソル図形を保存する識別可能なカーソル図形メモリ領域を具え、
各ユーザーコントロールユニットにはそれぞれアクセス請求キーが配置され、ユーザーがアクセス請求キーを押圧する時にアクセス請求信号を発生し、
該インタフェース回路は、ユーザーコントロールユニットとホストコンピュータの間に接続され、
該ホストコンピュータはインタフェース回路を通していずれかのユーザーコントロールユニットの発送したアクセス請求信号を受け取ると、そのユーザーコントロールユニットのユーザーコントロールユニット識別コードにより、それに対応する識別可能なカーソル図形をホストコンピュータのカーソルと共にホストコンピュータのスクリーンに表示し、並びにユーザーコントロールユニットがホストコンピュータとアクセスするのを許可することを特徴とする、コンピュータ装置のインタラクティブアクセス権制御システム。
【請求項２】
請求項１記載のコンピュータ装置のインタラクティブアクセス権制御システムにおいて、ユーザーコントロールユニットがペン状構造を呈することを特徴とする、コンピュータ装置のインタラクティブアクセス権制御システム。
【請求項３】
請求項１記載のコンピュータ装置のインタラクティブアクセス権制御システムにおいて、ホストコンピュータ中に、各ユーザーコントロールユニット識別コードに対するユーザーアクセス制御権限が設定保存され、ユーザーコントロールユニットがホストコンピュータとのアクセス許可を受ける時、この設定されたアクセス制御権限下でホストコンピュータとアクセスすることを特徴とする、コンピュータ装置のインタラクティブアクセス権制御システム。
【請求項４】
請求項１記載のコンピュータ装置のインタラクティブアクセス権制御システムにおいて、インタフェース回路が無線インタフェース回路とされたことを特徴とする、コンピュータ装置のインタラクティブアクセス権制御システム。
【請求項５】
請求項１記載のコンピュータ装置のインタラクティブアクセス権制御システムにおいて、インタフェース回路が有線インタフェース回路とされたことを特徴とする、コンピュータ装置のインタラクティブアクセス権制御システム。
【請求項６】
コンピュータ装置のインタラクティブアクセス権制御システムにおいて、ホストコンピュータと、プロジェクタ設備と、拡大スクリーンと、複数のユーザーコントロールユニットと、インタフェース回路と、を具え、
該ホストコンピュータは、複数のユーザーコントロールユニット識別コードを保存するユーザーコントロールユニット識別コードユニットメモリ領域と、該ユーザーコントロールユニット識別コードに対応する複数の識別可能なカーソル図形を保存する識別可能なカーソル図形メモリ領域を具え、
該プロジェクタ設備は、該ホストコンピュータに接続されて、該ホストコンピュータの発生する画像信号を投射し、
該拡大スクリーンは、該プロジェクタ設備が該画像信号を投射する方向に配置され、該画像信号を表示し、並びに該ホストコンピュータのカーソル図形を表示し、
各ユーザーコントロールユニットにはそれぞれアクセス請求キーが配置され、ユーザーがアクセス請求キーを押圧する時にアクセス請求信号を発生し、
該インタフェース回路は、ユーザーコントロールユニットとホストコンピュータの間に接続され、
該ホストコンピュータはインタフェース回路を通していずれかのユーザーコントロールユニットの発送したアクセス請求信号を受け取ると、そのユーザーコントロールユニットのユーザーコントロールユニット識別コードにより、それに対応する識別可能なカーソル図形をホストコンピュータのカーソルと共に拡大スクリーンに表示し、並びにユーザーコントロールユニットがホストコンピュータとアクセスするのを許可することを特徴とする、コンピュータ装置のインタラクティブアクセス権制御システム。
【請求項７】
請求項６記載のコンピュータ装置のインタラクティブアクセス権制御システムにおいて、ユーザーコントロールユニットがペン状構造を呈することを特徴とする、コンピュータ装置のインタラクティブアクセス権制御システム。
【請求項８】
請求項６記載のコンピュータ装置のインタラクティブアクセス権制御システムにおいて、ホストコンピュータ中に、各ユーザーコントロールユニット識別コードに対するユーザーアクセス制御権限が設定保存され、ユーザーコントロールユニットがホストコンピュータとのアクセス許可を受ける時、この設定されたアクセス制御権限下でホストコンピュータとアクセスすることを特徴とする、コンピュータ装置のインタラクティブアクセス権制御システム。
【請求項９】
請求項６記載のコンピュータ装置のインタラクティブアクセス権制御システムにおいて、インタフェース回路が無線インタフェース回路とされたことを特徴とする、コンピュータ装置のインタラクティブアクセス権制御システム。
【請求項１０】
請求項６記載のコンピュータ装置のインタラクティブアクセス権制御システムにおいて、インタフェース回路が有線インタフェース回路とされたことを特徴とする、コンピュータ装置のインタラクティブアクセス権制御システム。
【請求項１１】
単一のホストコンピュータと複数のユーザーコントロールユニットで構成されたシステム構造中で、該複数のユーザーコントロールユニットのホストコンピュータとのアクセスを管理及び制御するのに用いられるコンピュータ装置のインタラクティブアクセス権制御方法であり、該コンピュータ装置のインタラクティブアクセス権制御方法は、
（ａ）ホストコンピュータを起動し、並びにオペレーションシステムとインタラクティブアクセス制御プログラムをロードするステップ、
（ｂ）ホストコンピュータ中に少なくとも一つのユーザーコントロールユニット識別コード、及び該ユーザーコントロールユニット識別コードに対応する識別可能なカーソル図形を設定保存するステップ、
（ｃ）ホストコンピュータがユーザーコントロールユニットがアクセス請求信号を発送したかを検出するステップ、
（ｄ）ホストコンピュータがユーザーコントロールユニットが発送したアクセス請求信号を受け取った後、ユーザーコントロールユニット識別コードにより、該ユーザーコントロールユニット識別コードに対応する識別可能なカーソル図形をホストコンピュータのスクリーンに表示し並びにそのユーザーコントロールユニットにホストコンピュータとのアクセスを許可するステップ、
を具えたことを特徴とする、コンピュータ装置のインタラクティブアクセス権制御方法。
【請求項１２】
請求項１１記載のコンピュータ装置のインタラクティブアクセス権制御方法において、各ユーザーコントロールユニットにアクセス請求キーが配置され、ユーザーの押圧操作に供されてアクセス請求信号をホストコンピュータに発送することを特徴とする、コンピュータ装置のインタラクティブアクセス権制御方法。
【請求項１３】
請求項１１記載のコンピュータ装置のインタラクティブアクセス権制御方法において、ホストコンピュータ中に、各ユーザーコントロールユニット識別コードに対するユーザーアクセス制御権限が設定保存され、ユーザーコントロールユニットがホストコンピュータとのアクセス許可を受ける時、この設定されたアクセス制御権限下でホストコンピュータとアクセスすることを特徴とする、コンピュータ装置のインタラクティブアクセス権制御方法。
【請求項１４】
請求項１１記載のコンピュータ装置のインタラクティブアクセス権制御方法において、（ｄ）のステップ中に、ユーザーコントロールユニットが以前にアクセス請求信号を発送したかを判断し、もし発送していれば、ユーザーコントロールユニットのホストコンピュータとのアクセスを解除するステップを具えたことを特徴とする、コンピュータ装置のインタラクティブアクセス権制御方法。
【発明の詳細な説明】
【技術分野】
【０００１】
本発明はコンピュータ装置の制御技術に係り、特に、単一ホストコンピュータと複数のユーザーコントロールユニットで構成されたシステム構造中にあって、該複数のユーザーコントロールユニットの該ホストコンピュータとのアクセスを管理及び制御するコンピュータ装置のインタラクティブアクセス権制御システム及びその方法に関する。
【背景技術】
【０００２】
早期のコンピュータシステム構造にあっては、いずれも単機で使用するよう設計され、一台のコンピュータは単一の使用者の使用に供される。ネットワーク技術が発展した後、各単機はネットワークインタフェース或いはサーバーシステムを通してデータの共有、コンピュータ管理の機能を達成できるようになり、コンピュータユーザーはネットーク権限の下でその他のコンピュータのデータにアクセスできるようになった。
【０００３】
現在使用されているコンピュータ装置はネットワークインタフェースを通してデータの供給の機能を達成できるが、インタラクティブ機能方面は未だ不足している。このためその他の応用領域にあっては完全な応用を達成することができない。
【０００４】
例えば、現在商業レポート、学術検討、技術発表会等の場面で、講演者はコンピュータにデジタルプロジェクタ装置を組み合わせることで容易に表示したいデータ、図表をスクリーン上に表示できるが、台の下の参加者は一方的に参加するだけで良好なインタラクティブ機能を達成することはできない。
【０００５】
伝統的な単方向データ表現方式にあっては、制御権は単一ユーザーに属するだけで、その他の参加者は制御権を取得できず、講演者と良好なインタラクティブ参加関係を構築できない。現在の方法は、万一参加者に問題がある時に、台上の講演者と台下の参加者が言語コミュニケーションの方式で双方の意志を探り合う。但しこのような伝統的な方法は良好なインタラクティブ討論を達成することは容易ではない。例えば参加者が講演者とスクリーン上に表示されたあるフレーズ、ある図形エリア、或いはある図表セクションについて討論したい時、言語表現の方式では正確に表現することは難しい。
【発明の開示】
【発明が解決しようとする課題】
【０００６】
上述の従来のシステム構造から分かるように、簡便なシステム構造下でインタラクティブ参加の機能を達成することは容易ではなく、この問題を完全に解決できる技術は未だない。
【０００７】
このため、現在の商業レポート、学術検討、技術発表会等の、インタラクティブ参加を必要とする場合に適用される簡易インタラクティブシステムの提供が重要な課題となっている。現在ローカルエリアネットワークの方式及びネットワーク資源供給の方式はインタラクティブ、及び制御権取得の機能を達成することができるが、各ユーザー側に一台の完全機能を具えたコンピュータを配置し、並びに各一台のコンピュータ中に特定のアプリケーションプログラムをインストールし、相互間の通信協定を構築しなければならず、このような方式はユーザーの要求に完全には応えられない。
【０００８】
このため、本発明の主要な目的は、一種のコンピュータ装置のアクセス権制御システムを提供することにあり、それは、複数のユーザーと単一のホストコンピュータで構成されたシステム構造中にあって、各ユーザーの該ホストコンピュータとのアクセスを有効に管理及び制御できる機能を有するものとする。
【０００９】
本発明のもう一つの目的は、一種のコンピュータ装置のインタラクティブアクセス制御方法を提供することにあり、この方法によると、各ユーザーはインタラクティブの方式で単一ホストコンピュータとインタラクティブ参加を行なうことができ、ホストコンピュータと各ユーザーに最良のインタラクティブ関係を達成させられるものとする。
【００１０】
上述の目的を達成するため、本発明の採用する技術手段は以下のとおりである。単一ホストコンピュータを複数の人が共用するシステム構造下で、各ユーザー側にユーザーコントロールユニットが配置され、各ユーザーコントロールユニットにアクセス請求キーが配置され、各ユーザーコントロールユニットに識別コードが設定保存される。いずれかのユーザーがユーザーコントロールユニットのアクセス請求キーを押すと、ユーザーコントロールユニットがアクセス請求信号をホストコンピュータに送り、該システムとのアクセス許可を要求する。一旦この要求が許可されて接続が形成されると、そのユーザーコントロールユニットに属するカーソルがこのシステムのスクリーンに出現し、該カーソルと原カーソルの様子は異なるものとされ、それは設定された制御権限を具備する。ユーザーがそのアクセス権を解除したい時は、ただユーザーコントロールユニットのアクセス請求キーを押せばよい。
【００１１】
該ホストコンピュータと各ユーザーコントロールユニットの間は有線ネットワークインタフェース或いは無線ネットワークインタフェースで接続される。ユーザーコントロールユニットは例えばコントロールペン或いはマウスの構造に形成され、ユーザーによる操作に便利とされる。
【課題を解決するための手段】
【００１２】
請求項１の発明は、コンピュータ装置のインタラクティブアクセス権制御システムにおいて、ホストコンピュータと、複数のユーザーコントロールユニットと、インタフェース回路とを具え、
該ホストコンピュータはスクリーンを具え、該スクリーン上に該ホストコンピュータのカーソル図形を表示し、該ホストコンピュータが、複数のユーザーコントロールユニット識別コードを保存するユーザーコントロールユニット識別コードメモリ領域と、該ユーザーコントロールユニット識別コードに対応する複数の識別可能なカーソル図形を保存する識別可能なカーソル図形メモリ領域を具え、
各ユーザーコントロールユニットにはそれぞれアクセス請求キーが配置され、ユーザーがアクセス請求キーを押圧する時にアクセス請求信号を発生し、
該インタフェース回路は、ユーザーコントロールユニットとホストコンピュータの間に接続され、
該ホストコンピュータはインタフェース回路を通していずれかのユーザーコントロールユニットの発送したアクセス請求信号を受け取ると、そのユーザーコントロールユニットのユーザーコントロールユニット識別コードにより、それに対応する識別可能なカーソル図形をホストコンピュータのカーソルと共にホストコンピュータのスクリーンに表示し、並びにユーザーコントロールユニットがホストコンピュータとアクセスするのを許可することを特徴とする、コンピュータ装置のインタラクティブアクセス権制御システムとしている。
請求項２の発明は、請求項１記載のコンピュータ装置のインタラクティブアクセス権制御システムにおいて、ユーザーコントロールユニットがペン状構造を呈することを特徴とする、コンピュータ装置のインタラクティブアクセス権制御システムとしている。
請求項３の発明は、請求項１記載のコンピュータ装置のインタラクティブアクセス権制御システムにおいて、ホストコンピュータ中に、各ユーザーコントロールユニット識別コードに対するユーザーアクセス制御権限が設定保存され、ユーザーコントロールユニットがホストコンピュータとのアクセス許可を受ける時、この設定されたアクセス制御権限下でホストコンピュータとアクセスすることを特徴とする、コンピュータ装置のインタラクティブアクセス権制御システムとしている。
請求項４の発明は、請求項１記載のコンピュータ装置のインタラクティブアクセス権制御システムにおいて、インタフェース回路が無線インタフェース回路とされたことを特徴とする、コンピュータ装置のインタラクティブアクセス権制御システムとしている。
請求項５の発明は、請求項１記載のコンピュータ装置のインタラクティブアクセス権制御システムにおいて、インタフェース回路が有線インタフェース回路とされたことを特徴とする、コンピュータ装置のインタラクティブアクセス権制御システムとしている。
請求項６の発明は、コンピュータ装置のインタラクティブアクセス権制御システムにおいて、ホストコンピュータと、プロジェクタ設備と、拡大スクリーンと、複数のユーザーコントロールユニットと、インタフェース回路と、を具え、
該ホストコンピュータは、複数のユーザーコントロールユニット識別コードを保存するユーザーコントロールユニット識別コードユニットメモリ領域と、該ユーザーコントロールユニット識別コードに対応する複数の識別可能なカーソル図形を保存する識別可能なカーソル図形メモリ領域を具え、
該プロジェクタ設備は、該ホストコンピュータに接続されて、該ホストコンピュータの発生する画像信号を投射し、
該拡大スクリーンは、該プロジェクタ設備が該画像信号を投射する方向に配置され、該画像信号を表示し、並びに該ホストコンピュータのカーソル図形を表示し、
各ユーザーコントロールユニットにはそれぞれアクセス請求キーが配置され、ユーザーがアクセス請求キーを押圧する時にアクセス請求信号を発生し、
該インタフェース回路は、ユーザーコントロールユニットとホストコンピュータの間に接続され、
該ホストコンピュータはインタフェース回路を通していずれかのユーザーコントロールユニットの発送したアクセス請求信号を受け取ると、そのユーザーコントロールユニットのユーザーコントロールユニット識別コードにより、それに対応する識別可能なカーソル図形をホストコンピュータのカーソルと共に拡大スクリーンに表示し、並びにユーザーコントロールユニットがホストコンピュータとアクセスするのを許可することを特徴とする、コンピュータ装置のインタラクティブアクセス権制御システムとしている。
請求項７の発明は、請求項６記載のコンピュータ装置のインタラクティブアクセス権制御システムにおいて、ユーザーコントロールユニットがペン状構造を呈することを特徴とする、コンピュータ装置のインタラクティブアクセス権制御システムとしている。
請求項８の発明は、請求項６記載のコンピュータ装置のインタラクティブアクセス権制御システムにおいて、ホストコンピュータ中に、各ユーザーコントロールユニット識別コードに対するユーザーアクセス制御権限が設定保存され、ユーザーコントロールユニットがホストコンピュータとのアクセス許可を受ける時、この設定されたアクセス制御権限下でホストコンピュータとアクセスすることを特徴とする、コンピュータ装置のインタラクティブアクセス権制御システムとしている。
請求項９の発明は、請求項６記載のコンピュータ装置のインタラクティブアクセス権制御システムにおいて、インタフェース回路が無線インタフェース回路とされたことを特徴とする、コンピュータ装置のインタラクティブアクセス権制御システムとしている。
請求項１０の発明は、請求項６記載のコンピュータ装置のインタラクティブアクセス権制御システムにおいて、インタフェース回路が有線インタフェース回路とされたことを特徴とする、コンピュータ装置のインタラクティブアクセス権制御システムとしている。
請求項１１の発明は、単一のホストコンピュータと複数のユーザーコントロールユニットで構成されたシステム構造中で、該複数のユーザーコントロールユニットのホストコンピュータとのアクセスを管理及び制御するのに用いられるコンピュータ装置のインタラクティブアクセス権制御方法であり、該コンピュータ装置のインタラクティブアクセス権制御方法は、
（ａ）ホストコンピュータを起動し、並びにオペレーションシステムとインタラクティブアクセス制御プログラムをロードするステップ、
（ｂ）ホストコンピュータ中に少なくとも一つのユーザーコントロールユニット識別コード、及び該ユーザーコントロールユニット識別コードに対応する識別可能なカーソル図形を設定保存するステップ、
（ｃ）ホストコンピュータがユーザーコントロールユニットがアクセス請求信号を発送したかを検出するステップ、
（ｄ）ホストコンピュータがユーザーコントロールユニットが発送したアクセス請求信号を受け取った後、ユーザーコントロールユニット識別コードにより、該ユーザーコントロールユニット識別コードに対応する識別可能なカーソル図形をホストコンピュータのスクリーンに表示し並びにそのユーザーコントロールユニットにホストコンピュータとのアクセスを許可するステップ、
を具えたことを特徴とする、コンピュータ装置のインタラクティブアクセス権制御方法としている。
請求項１２の発明は、請求項１１記載のコンピュータ装置のインタラクティブアクセス権制御方法において、各ユーザーコントロールユニットにアクセス請求キーが配置され、ユーザーの押圧操作に供されてアクセス請求信号をホストコンピュータに発送することを特徴とする、コンピュータ装置のインタラクティブアクセス権制御方法としている。
請求項１３の発明は、請求項１１記載のコンピュータ装置のインタラクティブアクセス権制御方法において、ホストコンピュータ中に、各ユーザーコントロールユニット識別コードに対するユーザーアクセス制御権限が設定保存され、ユーザーコントロールユニットがホストコンピュータとのアクセス許可を受ける時、この設定されたアクセス制御権限下でホストコンピュータとアクセスすることを特徴とする、コンピュータ装置のインタラクティブアクセス権制御方法としている。
請求項１４の発明は、請求項１１記載のコンピュータ装置のインタラクティブアクセス権制御方法において、（ｄ）のステップ中に、ユーザーコントロールユニットが以前にアクセス請求信号を発送したかを判断し、もし発送していれば、ユーザーコントロールユニットのホストコンピュータとのアクセスを解除するステップを具えたことを特徴とする、コンピュータ装置のインタラクティブアクセス権制御方法としている。
【発明の効果】
【００１３】
本発明を従来の技術と比較すると以下のような機能が達成されている。即ち、本発明はインタラクティブ方式で、各種の異なるユーザー側のユーザーコントロールユニット（例えばマウス或いはタッチコントロールペン）を通して、複数のユーザーが同一のコンピュータにアクセスできる。一旦インタラクティブモードが開始すると、ユーザーはホストコンピュータ或いは管理者が設定したアクセス権限の下でホストコンピュータにアクセスできる。ゆえに本発明は複数のユーザーと単一のホストコンピュータが構成するシステム構造に応用され、且つ各ユーザーとホストコンピュータがインタラクティブ機能を構築する必要がある時、特に最良のインタラクティブ参加関係を達成できる。
【発明を実施するための最良の形態】
【００１４】
図１は本発明のコンピュータ装置のインタラクティブアクセス権制御システム及びその方法の実際の応用時の全体システム構造図である。それは本発明のインタラクティブアクセス制御を行なうホストコンピュータ１を具え、該ホストコンピュータ１はメインユーザー２のテーブル上に置かれ、メインユーザー２はホストコンピュータ１のスクリーン１１によりホストコンピュータ１の動作を掌握できる。該ホストコンピュータ１にはマウス１２が接続され、該マウス１２はメインユーザー２がスクリーン１１上のカーソル位置を制御するのに用いられ、また、ホストコンピュータ１の動作を制御するのに用いられる。
【００１５】
該ホストコンピュータ１のスクリーン１１上に表示される画像はプロジェクタ設備３により拡大スクリーン４に投射される。こうして拡大されたホストコンピュータカーソル図形４０はマウス１２のスクリーン１１上の座標位置を表示し、その位置はマウス１２により移動させられる。
【００１６】
該拡大スクリーン４の近隣位置に、複数の参加ユーザー４１、４２、４３が座り、各参加ユーザー４１、４２、４３にユーザーコントロールユニット５１、５２、５３が配布され、各ユーザーコントロールユニット５１、５２、５３にはアクセス請求キー５１ａ、５２ａ、５３ａが配置されている。
【００１７】
上述の本発明の応用にあって、参加ユーザー４１、４２、４３が自分に配布されたユーザーコントロールユニットのアクセス請求キーを押す時、ユーザーコントロールユニット５１、５２、５３はアクセス請求信号をホストコンピュータ１に送り、該ホストコンピュータ１とのアクセス許可を要求する。一旦請求が許可されて接続が構築されると、そのユーザーコントロールユニットに属する識別可能なカーソル図形６１が拡大スクリーン４上に出現する。識別可能なカーソル図形６１は原ホストコンピュータのホストコンピュータカーソル図形４０とは異なる様式（例えば形、色、点滅形態）が異なるものとされ、それは設定されたアクセス制御権限を有する。
【００１８】
各ユーザーコントロールユニットには識別コードが設定保存されている。即ち、複数のユーザーが設定されたアクセス制御権限の下でインタラクティブモードで同時に同一のコンピュータシステムにアクセスできる。ユーザーがそのアクセス制御権限権を解除したい時は、再度ユーザーコントロールユニットのアクセス請求キーを押せばよい。
【００１９】
本発明はインタラクティブ方式で、各種の異なる形態のユーザーコントロールユニット（例えばマウス及びタッチコントロールペン）により、複数のユーザーが同一のホストコンピュータにアクセスできる。一旦インタラクティブモードが開始すると、ユーザーはホストコンピュータ或いは管理者が設定するアクセス制御権限の下で、アクセス制御権を取得してシステムの一部動作を制御できる。そのアクセス制御権はホストコンピュータのユーザーによりプログラムされる。
【００２０】
図２は本発明の第１実施例の接続表示図である。ホストコンピュータ１はインタフェース回路と接続線７を通して各ユーザーコントロールユニット５１、５２、５３と接続可能で、いずれかのユーザーコントロールユニット５１、５２、５３のアクセス請求キー５１ａ、５２ａ、５３ａが押圧操作される時、その発生するアクセス請求信号が該接続線７を通してホストコンピュータ１に送られる。
【００２１】
図３は本発明の回路機能ブロック図である。ホストコンピュータ１はＣＰＵ１３を具え、該ＣＰＵ１３はマウス１２に接続されているほか、周知のキーボード１４に接続され、これらは入力装置とされる。ホストコンピュータ１の発生する文字、図形信号をホストコンピュータ１のスクリーン１１に表示可能であり、またプロジェクタ設備インタフェース３１を通してプロジェクタ設備３に送られ、更にプロジェクタ設備３より拡大スクリーン４に投射されうる。
【００２２】
該ＣＰＵ１３にＲＡＭ１５、ＲＯＭ１６、及びデータ保存装置１７（例えばハードディスク）が接続されている。該データ保存装置１７中には本発明のインタラクティブアクセス制御プログラムを保存するインタラクティブアクセス制御プログラム保存メモリ領域１７１があり、本発明のインタラクティブアクセス制御プログラムの実行開始により、本発明のインタラクティブモードの各種動作が実行される。
【００２３】
データ保存装置１７中には更にユーザーコントロールユニット識別コードメモリ領域１７２があり、複数のユーザーコントロールユニット識別コードＰ ＩＤを保存できる。
【００２４】
データ保存装置１７中には更に識別可能なカーソル図形メモリ領域１７３があり、複数の識別可能なカーソル図形Ｉｃｏｎ Ｔｙｐｅを保存できる。識別可能なカーソル図形はホストコンピュータのカーソルとは異なる様式で表現されて区別され、例えば識別可能なカーソル図形は異なるカーソル図形、色、点滅形態により簡単に区別できるものとされる。
【００２５】
該データ保存装置１７は更にユーザーアクセス制御権メモリ領域１７４を具え、それはホストコンピュータユーザーがプログラム設定したユーザーアクセス制御権限設定値ＰＷＲ Ｌｅｖｅｌを保存する。
【００２６】
前述のユーザーコントロールユニット識別コードＰ ＩＤ、識別可能なカーソル図形Ｉｃｏｎ Ｔｙｐｅ、及びユーザーアクセス制御権限設定値ＰＷＲ Ｌｅｖｅｌはユーザーコントロールユニット管理表（Ｍａｎａｇｅｍｅｎｔ  Ｔａｂｌｅ）を組成し、図４に示されるようであり、このユーザーコントロールユニット管理表により、ホストコンピュータ１は簡単にユーザーコントロールユニットの識別、ユーザーコントロールユニットのカーソルの表示、ユーザーコントロールユニットのユーザーアクセス制御権限管理等の作業を行なうことができる。
【００２７】
該ホストコンピュータ１中のＣＰＵ１３はインタフェース回路１８及び接続線７を通してユーザーコントロールユニット５１と接続される。図中にはホストコンピュータ１とそのうち一つのユーザーコントロールユニット５１の接続のみ表示されているが、その他のユーザーコントロールユニットの接続もまた同じである。
【００２８】
ユーザーコントロールユニット５１中にもインタフェース回路５４が設けられ、接続線７でホストコンピュータ１のインタフェース回路１８と接続される。マイクロコントローラ５５が周知のＲＯＭ５６、ＲＡＭ５７に接続されている。
【００２９】
ユーザーコントロールユニット５１中のアクセス請求キー５１ａが押圧される時、該ユーザーコントロールユニット５１中のマイクロコントローラ５５がアクセス請求信号ＲＥＱを発生しインタフェース回路５４、接続線７を通してホストコンピュータ１に送り、該システムとのアクセス許可を要求する。
【００３０】
該マイクロコントローラ５５には更にユーザーコントロールユニット識別コードユニット５８が接続され、該ユーザーコントロールユニット識別コードＰ ＩＤを保存し及びマイクロコントローラ５５に供給する。該ユーザーコントロールユニット識別コードＰ ＩＤは該ユーザーコントロールユニット５１の識別コードを表示し、それはホストコンピュータ１中のデータ保存装置１７中のユーザーコントロールユニット識別コード識別コードメモリ領域１７２に保存されたうちの一つのユーザーコントロールユニット識別コードに符合する。ゆえにホストコンピュータ１はユーザーコントロールユニット５１の伝送したユーザーコントロールユニット識別コードＰ ＩＤによりどのユーザーコントロールユニットが参加請求を発送したかを識別できる。
【００３１】
図５は本発明の操作フローチャートである。図１から図４も共に参照されたい。以下に本発明の操作について説明を行なう。
【００３２】
先ず、ホストコンピュータ１を起動しオペレーションシステムのロードを完成（ステップ１０１）した後、本発明のデータ保存装置１７中のインタラクティブアクセス制御プログラム保存メモリ領域１７１中のインタラクティブアクセス制御プログラムをロードし、本発明のインタラクティブアクセス制御プログラムの機能を開始する（ステップ１０２）。
【００３３】
ホストコンピュータ１がいずれかのユーザーコントロールユニットのアクセス請求キーが押されたことを検出する時（ステップ１０３）、本発明の制御プログラムはユーザーコントロールユニットの識別コードを判断し（ステップ１０４）、続いてユーザーコントロールユニットのアクセス請求キーがそれ以前にすでに押されたかを判断する（ステップ１０５）。ステップ１０５中でユーザーコントロールユニットのアクセス請求キーがそれ以前にすでに押されていると判断すると、ユーザーコントロールユニットのユーザーがインタラクティブアクセス機能を解除したいことを表示するため、本発明はユーザーコントロールユニットのインタラクティブモードの解除を実行する（ステップ１０６）。
【００３４】
もしステップ１０５中でユーザーコントロールユニットのアクセス請求キーがそれ以前に押されていないと判断したなら、ホストコンピュータはそのユーザーコントロールユニットと接続関係を構築し（ステップ１０７）、続いてステップ１０８で、図４に示される対応するユーザーコントロールユニット識別コードＰ ＩＤ、識別可能なカーソル図形Ｉｃｏｎ Ｔｙｐｅ及びユーザーアクセス制御権限設定値ＰＷＲ Ｌｅｖｅｌの対照管理表により、そのユーザーコントロールユニットの識別可能なカーソル図形（例えば識別可能なカーソル図形６１）を図１中の拡大スクリーン４上に表示する。この時、ユーザーコントロールユニットのユーザーは設定された制御権限下でインタラクティブ機能を実行できる。
【００３５】
ホストコンピュータのインタラクティブアクセス機能が切断される時（ステップ１０９）、各ユーザーコントロールユニットのインタラクティブアクセス機能が禁止され、そうでなければ本発明は続けて前述の各ステップのインタラクティブアクセス機能を実行する。
【００３６】
上述の実施例は有線方式でホストコンピュータと各ユーザーコントロールユニットの間のインタラクティブアクセス機能を実行している。当然、無線の技術（例えばブルートゥース技術、赤外線技術、或いはＲＦ技術）により同様の機能を達成することができる。図６は本発明の第２実施例の接続表示図であり、ホストコンピュータ１は無線インタフェース回路１９に接続され、ユーザーコントロールユニット識別コードユニットには別に無線インタフェース回路５９が接続され、この無線インタフェース回路１９と無線インタフェース回路５９の無線通信機能により、上述の第１実施例と同様の機能を達成できる。
【００３７】
以上の実施例は本発明の範囲を限定するものではなく、本発明に基づきなしうる細部の修飾或いは改変は、いずれも本発明の請求範囲に属するものとする。
【図面の簡単な説明】
【００３８】
【図１】本発明のコンピュータ装置のインタラクティブアクセス権制御システム及びその方法の実際の応用時の全体システム構造図である。
【図２】本発明の第１実施例の接続表示図である。
【図３】本発明の回路機能ブロック図である。
【図４】本発明中のユーザーコントロールユニット識別コードＰ ＩＤ、識別可能なカーソル図形Ｉｃｏｎ Ｔｙｐｅ、ユーザーアクセス制御権限設定値ＰＷＲ Ｌｅｖｅｌの対照で組成されたユーザーコントロールユニット管理表である。
【図５】本発明操作フローチャートである。
【図６】本発明の第２実施例の接続表示図である。
【符号の説明】
【００３９】
１  ホストコンピュータ
１１  スクリーン
１２  マウス
１３  ＣＰＵ
１４  キーボード
１５  ＲＯＭ
１６  ＲＡＭ
１７  データ保存装置
１７１  インタラクティブアクセス制御プログラム保存メモリ領域
１７２  ユーザーコントロールユニット識別コード保存メモリ領域
１７３  識別可能なカーソル図形保存メモリ領域
１７４  ユーザーアクセス制御権限メモリ領域
１８  インタフェース回路
１９  無線インタフェース回路
２  メインユーザー
３  プロジェクタ設備
３１  プロジェクタ設備インタフェース
４  拡大スクリーン
４０  ホストコンピュータカーソル図形
４１、４２、４３  参加ユーザー
５１、５２、５３・・・５ｎ  ユーザーコントロールユニット
５１ａ、５２ａ、５３ａ  アクセス請求キー
５４  インタフェース回路
５５  マイクロコントローラ
５６  ＲＯＭ
５７  ＲＡＭ
５８  ユーザーコントロールユニット識別コードユニット
５９  識別可能なカーソル図形
７  接続線
【図１】
2006004397.tif 000003
【図２】
2006004397.tif 000004
【図３】
2006004397.tif 000005
【図４】
2006004397.tif 000006
【図５】
2006004397.tif 000007
【図６】
2006004397.tif 000008